(57)【要約】  本発明は、ベルトバックルに関し、特に、ベルトを着用した状態でベルトを容易に外すことができ、ベルトの帯を過度に反らさなくても外すことができるので、ベルトの帯の損傷を予防することができるように構成したベルトバックルに関する。本発明によるベルトバックルは、長手方向に穴が形成されたベルト帯と、ベルト帯の一方の先端に固定され、腰に巻いたベルト帯の他方の先端部が貫通するバックルと、バックルにヒンジ結合されてバックルを貫通したベルト帯の穴の中でいずれかの一つの穴に挿入され、穴に挿入された状態でベルト帯が長手方向に移動することを防止する係止突起が先端部に形成された締結ピンと、を含むことを技術的特徴とする。
2015528369.tif 000002
【特許請求の範囲】
【請求項１】
長手方向に穴１１１が形成されたベルト帯１１０と、
ベルト帯１１０の先端が一側に固定され、腰を巻いたベルト帯の先端部が貫通するバックル１２０と、
バックル１２０にヒンジ１２３で結合され、バックル１２０を貫通したベルト帯１１０の穴１１１の中でいずれかの一つの穴に挿入され、穴１１１に挿入された状態でベルト帯１１０が長手方向に移動することを防止する係止突起１２５が先端部に形成された締結ピン１２１と、を含むことを特徴とするベルトバックル。
【請求項２】
バックル１２０は、四角フレーム構造であり、左側フレーム１２０Ｌにベルト帯１１０の先端が固定され、左側フレーム１２０Ｌに締結ピン１２１がヒンジ１２３で結合され、ヒンジ１２３で結合された部位を中心として旋回する締結ピン１２１の先端は、右側フレーム１２０Ｒにより固定されることを特徴とする請求項１に記載のベルトバックル。
【請求項３】
ベルト帯１１０は、右側フレーム１２０Ｒの下を経てバックル１２０を貫通し、バックル１２０を貫通したベルト帯１１０のいずれの一つの穴に締結ピン１２１が挿入され、係止突起１２５は、ベルト帯１１０の内側面に接することを特徴とする請求項１または請求項２に記載のベルトバックル。
【請求項４】
バックル１２０は、四角フレーム構造であり、左側フレーム１２０Ｌにベルト帯１１０の先端が固定され、右側フレーム１２０Ｒに締結ピン１２１がヒンジ１２３で結合され、ヒンジ１２３で結合された部位を中心として旋回する締結ピン１２１の先端は、左側フレーム１２０Ｌにより固定されることを特徴とする請求項１に記載のベルトバックル。
【請求項５】
ベルト帯１１０は、右側フレーム１２０Ｒの下を経てバックル１２０を貫通し、バックル１２０を貫通したベルト帯１１０のある一つの穴に締結ピンが挿入され、係止突起１２５は、ベルト帯１１０の外側面に接することを特徴とする請求項４に記載のベルトバックル。
【請求項６】
締結ピン１２１には、飾り物１３０が装着されていることを特徴とする請求項５に記載のベルトバックル。
【請求項７】
係止突起１２５は、締結ピン１２１の先端部から分岐されて締結ピン１２１の先端方向に延長され、ベルト帯１１０には、締結ピン１２１と係止突起１２５が挿入されるように複数列の穴１１１、１１２が形成されていることを特徴とする請求項１または請求項２に記載のベルトバックル。
【発明の詳細な説明】
【技術分野】
【０００１】
本発明は、ベルトバックルに関し、特に、ベルトを着用した状態でベルトを容易に外すことができ、ベルトの帯を過度に反らさなくても外すことができるので、ベルトの帯の損傷を予防することができるように構成したベルトバックルに関する。
【背景技術】
【０００２】
スーツのズボン、カジュアルパンツ及びジーパンなど(以下、通称して「ズボン」という)を着る場合、ズボンが下がらないようにベルトを着用する。場合によっては、ベルトに飾り物をつけてファッションを強調したりする。
【０００３】
このような通常のベルトは、長手方向に穴が形成されたベルト帯と、ベルト帯の一端が固定されてベルト帯の穴に挿入してベルトの絞り程度を調節するバックルと、を含む。
【０００４】
図１は、従来技術によるベルトを示した斜視図であり、図２は、図１に示したベルトを外す例を説明した概念図であり、図３は、図２に示したベルトを外す他の例を説明した概念図である。
【０００５】
図１に示しように、ベルト１は、天然または人造皮革材質のベルト帯１０と、腰を巻いたベルト帯１０の先端が引入された状態でベルト帯１０に形成された穴１１の中でいずれの一つの穴に挿入されるようにベルト帯１０の一端に固定されたバックル２０と、を含む。
【０００６】
四角フレーム構造のバックル２０において、ベルト帯１０が固定されたバックル２０の左側フレーム２０Ｌには、締結ピン２１がヒンジ２３で結合される。バックル２０の左側フレーム２０Ｌにヒンジ２３で結合された締結ピン２１は、反対側である右側フレーム２０Ｒにより固定される長さを有する。
【０００７】
このように構成されたベルト１は、ベルト帯１０を腰に巻いてベルト帯１０の先端をバックル２０の内部に引入した後、ベルト帯１０を引いて腰を絞った状態で、締結ピン２１をベルト帯１０に形成された穴１１の中でいずれの一つの穴に挿入する。それから引いていたベルト帯１０を放せると、ベルト帯１０は、引入方向の反対方向に引き出されながら締結ピン２１がバックル２０の右側フレーム２０Ｒに接するようになってベルト１の着用が完了される。
【０００８】
反対に着用したベルト１を外すためには、図２に示したように、ベルト帯１０の先端を引入方向に引いて腰を絞る。そのようにすれば、穴１１に挿入された締結ピン２１は身の前方に旋回するようになり、この状態で締結ピン２１を穴１１から抜き取った後に引いたベルト帯１０を放すと、ベルト帯１０がバックル２０から引き出され、着用が解除される。
【０００９】
しかし、着用したベルト１を解除する際に、ベルト帯１０を引くと、締結ピン２１が穴１１に挿入された状態であるので、ベルト帯１０が締結ピン２１の長手方向、すなわち、ヒンジ結合された方向に移動するようになり、この状態で、締結ピン２１を穴１１から抜き取るためには必要以上にベルト帯１０を引かなければならない問題点がある。
【００１０】
また、図３に示したように、他の方式では、ベルト１を外すため、ベルト帯１０をバックル２０の右側フレーム２０Ｒの外側方向に大きく反らして引く。この場合、上述した方式に比べて容易に締結ピン２１が穴１１から離脱するようになるが、ベルト帯１０が大きく変形され、よく使用する穴１１及びその周辺の損傷がひどくなる問題点がある。
【先行技術文献】
【特許文献】
【００１１】
【特許文献１】登録実用新案第２０−０３１１０４５号公報
【００１２】
発明の開示
技術的解決課題
本発明は、前述のような問題点を解決すべくなされたもので、過度に腰を絞らなくても容易にベルトを外すことができ、またベルト帯の損傷を減らすことができるように構成したベルトバックルを提供することを目的とする。
【００１３】
技術的解決方法
前記のような目的を達成するための本発明によるベルトバックルは、長手方向に穴が形成されたベルト帯と、ベルト帯の先端が一側に固定され、腰を巻いたベルト帯の先端部が貫通するバックルと、バックルにヒンジ結合されてバックルを貫通したベルト帯の穴の中でいずれの一つの穴に挿入され、穴に挿入された状態でベルト帯が長手方向に移動することを防止する係止突起が先端部に形成された締結ピンと、を含むことを技術的特徴とする。
【００１４】
また、本発明の好ましい実施例によれば、バックルは、四角フレーム構造であり、左側フレームにベルト帯の先端が固定され、左側フレームに締結ピンがヒンジ結合され、ヒンジ結合された部位を中心として旋回する締結ピンの先端は、右側フレームにより固定される。
【００１５】
また、本発明の好ましい実施例によれば、ベルト帯は、右側フレームの下を経てバックルを貫通し、バックルを貫通したベルト帯のいずれの一つの穴に締結ピンが挿入され、係止突起は、ベルト帯の内側面に接する。
【００１６】
また、本発明の好ましい実施例によれば、バックルは、四角フレーム構造であり、左側フレームにベルト帯の先端が固定され、右側フレームに締結ピンがヒンジ結合され、ヒンジ結合された部位を中心として旋回する締結ピンの先端は、左側フレームにより固定される。
【００１７】
また、本発明の好ましい実施例によれば、ベルト帯は、右側フレームの下を経てバックルを貫通し、バックルを貫通したベルト帯のいずれの一つの穴に締結ピンが挿入され、係止突起は、ベルト帯の外側面に接する。
【００１８】
また、本発明の好ましい実施例によれば、締結ピンには飾り物が装着される。
【００１９】
また、本発明の好ましい実施例によれば、係止突起は、締結ピンの先端部で分岐されて締結ピンの先端方向に延長され、ベルト帯には、締結ピンと係止突起が挿入されるように複数列の穴が形成される。
【００２０】
発明の効果
上述のように、本発明によるベルトバックルは、ベルトを外すためにベルト帯の先端を引いてもベルト帯が係止突起により妨げられて締結ピンに従って移動しないので、ベルトを容易に外すことができるという長所があり、このように容易にベルトを外すことができることによって、ベルトを外すためにベルト帯を強く引く必要がないので、ベルト帯の損傷を減らすことができる。
【００２１】
また、本発明の一実施例によるベルトバックルは、ベルト帯の引入方向に締結ピンがヒンジ結合され、ベルト帯がバックルから引き出される方向に位置して穴に挿入されることで、ベルト帯と締結ピンとの締結が容易であるだけではなく、締結されたベルト帯を締結ピンから分離しやすいという長所がある。
【００２２】
また、本発明の一実施例によるベルトバックルは、ベルト締結時に、締結ピンがベルト帯により遮蔽されないので、締結ピンを該当穴に挿入するためにベルト帯を反らす必要がなくてベルト帯の損傷を最小化することができるという長所がある。特に、締結ピンがベルト帯の外側に置かれるので、腹がたくさん出てバックルを見られない肥満人の場合にも鏡を通じて締結ピンとベルト帯の穴の位置を見ながら締結ピンを穴に手軽くて正確に挿入することができるという長所がある。
【００２３】
また、本発明の一実施例によるベルトバックルは、ベルトを外す際に、ベルト帯を引っぱることだけでもバックルの締結ピンがベルト帯の穴から離脱されるので、迅速で便利にベルトを外すことができるという長所がある。また、ベルト帯を過度に反らす必要がなくてベルト帯の破損を防止することができる。
【００２４】
また、本発明のベルトバックルは、ベルト締結時に締結ピンの大部分がベルト帯の外側に位置することにより、締結ピンに飾り物を付着して飾りの効果を増大させることができる。
【図面の簡単な説明】
【００２５】
【図１】図１は、従来技術によるベルトを示した斜視図である。
【図２】図２は、図１に示したベルトを外す例を説明した概念図である。
【図３】図３は、図２に示したベルトを外す他の例を説明した概念図である。
【図４】図４は、本発明の第１実施例によるベルトを示した斜視図である。
【図５】図５は、図４に示したベルトを着用した状態を示した斜視図である。
【図６】図６は、本発明の第２実施例によるベルトを着用する過程を示した斜視図である。
【図７】図７は、図６に示した着用状態のベルトを外す過程を示した斜視図である。
【図８】図８は、図６に示した締結ピンに飾り物が装着された状態を示した斜視図である。
【図９】図９は、本発明の第３実施例によるベルトを着用する過程を示した斜視図である。
【図１０】図１０は、図９に示したベルトの変形例を示した斜視図である。
【発明を実施するための最良の形態】
【００２６】
以下、本発明によるベルトバックルの好ましい実施例を添付した図面を参照して詳しく説明する。
【００２７】
まず、各図面の構成要素に参照符号を付与する際に、同一の構成要素に対しては、他の図面上に表示されてもできるだけ同一符号を付与する。また、本発明の説明において、既に公知されている機能や構成に対する具体的な説明が本発明の要旨を明確に示すために不必要であると判断される場合には、その詳細な説明を省略する。さらに、後述される用語は、本発明の実施例での機能を考慮して定義された用語として、これは使用者、運用者の意図または慣例などによって変わることができる。従って、用語は、本明細書全般にわたった内容を土台で定義されなければならない。
【００２８】
また、下記実施例は本発明の技術思想を例示的に説明したことに過ぎず、本発明が属する技術の分野における通常の知識を有する者であれば、本発明の技術的思想を逸脱しない範囲内で、様々な置換、変形及び変更が可能であるので、上述した実施例及び添付された図面に限定されるものではない。本発明の保護範囲は、下記請求範囲により解釈され、それと同等な範囲内にある全ての技術思想は、本発明の権利範囲に含まれることで解釈される。
【００２９】
第１実施例
図４は、本発明の第１実施例によるベルトを示した斜視図であり、図５は、図４に示したベルトを着用した状態を示した斜視図である。
【００３０】
図４に示したように、ベルト１００は、長手方向に穴１１１が形成されたベルト帯１１０と、バックル１２０と、を含む。
【００３１】
バックル１２０は、上述のように、四角フレームの構造であり、四角フレームの左側フレーム１２０Ｌにベルト帯１１０の先端が固定される。
【００３２】
また、バックル１２０の左側フレーム１２０Ｌには、締結ピン１２１がヒンジ１２３で結合され、締結ピン１２１の長さは、右側フレーム１２０Ｒに固定することができる長さを有する。したがって、締結ピン１２１は、左側フレーム１２０Ｌにヒンジ１２３で結合されてバックル１２０の前方で旋回可能である。
【００３３】
一方、締結ピン１２１の先端部には、係止突起１２５が形成され、締結ピン１２１の先端から係止突起１２５までの距離は、最小ベルト帯１１０の厚さより長く形成される。
【００３４】
このように構成されたベルト１００を着用する際に、図５に示したように、ベルト帯１１０を腰に巻いて、ベルト帯１１０の先端をバックル１２０の内側に引入させる。この時、ベルト帯１１０は、バックル１２０の右側フレーム１２０Ｒの下を経てバックル１２０の内側を貫通する。
【００３５】
そして、使用者の腰の回りに適当な圧力が加えられるようにベルト帯１１０を引く。ベルト帯１１０を引いた状態で、締結ピン１２１の先端を対応するベルト帯１１０の穴１１１に挿入してからベルト帯１１０を引いた力を除去すると、ベルト帯１１０が引き出し方向に移動しながら締結ピン１２１の先端が右側フレーム１２０Ｒにより固定される。
【００３６】
この時、ベルト帯１１０の穴１１１に締結ピン１２１の先端が挿入された状態で、締結ピン１２１の係止突起１２５は、ベルト帯１１０の内側面に接するようになる。
【００３７】
このような状態でベルト１００を着用して、反対にベルト１００を外すためには、ベルト帯１１０の先端を把持して引くと、ベルト帯１１０が引く方向に移動しながら腰が絞られる。この時、ベルト帯１１０の内側面は、係止突起１２５により妨げられることによって、従来のようにベルト帯が締結ピン２１に従ってヒンジ２３で結合された部位側に移動しないで、締結ピン１２１の先端部に位置する。したがって、使用者は、ベルト１００を外すために過度にベルト帯１１０を引かなくても締結ピン１２１の先端にかけられたベルト帯１１０を締結ピン１２１から容易に分離してベルト１００を外すことができる。
【００３８】
第２実施例
図６は、本発明の第２実施例によるベルトを着用する過程を示した斜視図であり、図７は、図６に示した着用状態のベルトを外す過程を示した斜視図であり、図８は、図６に示した締結ピンに飾り物が装着された状態を示した斜視図である。
【００３９】
図６に示したように、ベルト１００は、ベルト帯１１０と、ベルト帯１１０の先端が固定された四角フレームのバックル１２０と、を含む。
【００４０】
第２実施例によるバックル１２０は、締結ピン１２１が右側フレーム１２０Ｒにヒンジで結合される。すなわち、締結ピン１２１は、ベルト帯１１０がバックル１２０に引入される側である右側フレーム１２０Ｒにヒンジ１２３で結合され、締結ピン１２１の先端は左側フレーム１２０Ｌに固定される。また、締結ピン１２１の先端部には上述した係止突起１２５が形成される。
【００４１】
以下、このように構成された第２実施例によるベルトバックルの使用方式に対して説明する。
【００４２】
図６に示したように、使用者の腰にベルト帯１１０を巻いて、ベルト帯１１０の先端をバックル１２０の右側フレーム１２０Ｒの下を経てバックル１２０を貫通させる。それではベルト帯１１０は、左側フレーム１２０Ｌの方向に延長され、締結ピン１２１の先端は、左側フレーム１２０Ｌに固定される方向に位置することによって、締結ピン１２１の先端をベルト帯１１０の穴１１１に容易に挿入することができる。
【００４３】
このような第２実施例によるバックル１２０において、締結ピン１２１は、ベルト帯１１０の外側面に位置し、係止突起１２５もベルト帯１１０の外側面に位置した状態で、ベルト帯１１０が締結ピン１２１の長手方向に移動することを防止する。
【００４４】
このように着用したベルト１００を外すためには、ベルト帯１１０を引っぱって反らす必要なく、図７に示したように、ベルト帯１１０を引っぱれば、穴１１１に挿入された締結ピン１２１が穴１１１から離脱しながらベルト１００が外される。
【００４５】
したがって、従来のようにベルト１を外すためにベルト帯１０を反らす必要がないので、ベルト帯の損傷を防止することができ、容易にベルトを外すことができる。
【００４６】
また、図８に示したように、締結ピン１２１がベルト帯１１０の外側面に位置して飾り物１３０を締結ピン１２１に固定することができるので、飾りの効果を増大させることができる。
【００４７】
第３実施例
第３実施例によるベルトバックルは、締結ピンの先端が分岐された形態として、分岐された先端も第１実施例及び第２実施例で説明した係止突起と同一な機能を実行する。
【００４８】
図９は、本発明の第３実施例によるベルトを着用する過程を示した斜視図であり、図１０は、図９に示したベルトの変形例を示した斜視図である。
【００４９】
図９及び図１０に示したように、締結ピン１２１の先端部には、分岐された形態の１個以上の枝部１２７が形成される。図９は、枝部１２７が２個であり、図１０は、枝部１２７が３個形成された構造である。枝部１２７は、締結ピン１２１の先端方向に平行に延長される。
【００５０】
このように締結ピン１２１の先端部に形成された枝部１２７は、締結ピン１２１の先端がベルト帯１１０の穴１１１に挿入されるようにベルト帯１１０に形成された他の穴１１２に挿入される。このように締結ピン１２１の先端と枝部１２７がベルト帯１１０の穴１１１、１１２に挿入されることにより、第１実施例と第２実施例での係止突起１２５のようにベルト帯１１０が締結ピン１２１の長手方向に移動することを防止することができる。ここで、ベルト帯１１０には、締結ピン１２１の先端と枝部１２７の数ほどの穴１１１、１１２がベルト帯１１０の長手方向に整列され形成される。
【００５１】
符号の説明
１００：ベルト
１１０：ベルト帯
１１１、１１２：穴
１２０：バックル
１２０Ｌ：左側フレーム
１２０Ｒ：右側フレーム
１２１：締結ピン
１２３：ヒンジ
１２５：係止突起
１２７：枝部
１３０：飾り物
【図１】
2015528369.tif 000003
【図２】
2015528369.tif 000004
【図３】
2015528369.tif 000005
【図４】
2015528369.tif 000006
【図５】
2015528369.tif 000007
【図６】
2015528369.tif 000008
【図７】
2015528369.tif 000009
【図８】
2015528369.tif 000010
【図９】
2015528369.tif 000011
【図１０】
2015528369.tif 000012
【国際調査報告】
2015528369.tif 000013
2015528369.tif 000014
2015528369.tif 000015
2015528369.tif 000016